(57)【要約】【課題】充填材から貯水槽への落水による騒音を低減することができる空気浄化装置を提供する。【解決手段】充填材９の裏面１１を重力方向に対して傾斜させている。また、裏面１１の重力方向に対して最も低い一端部から循環タンク４まで棒状の誘導部材１３が延設されている。これにより、充填材９の裏面１１に達した水５を、裏面１１の傾斜及び誘導部材１３に沿って流すことで、水滴が裏面１１から循環タンク４に落下するのを抑制する。【選択図】図１
2015136630.tif 000002
【特許請求の範囲】
【請求項１】
外部と連通した空気流入口及び空気流出口を具備する有底状の気液接触室と、
前記気液接触室の底部に設けた貯水槽と、
前記貯水槽から供給された液体を前記気液接触室の内部に散布する散水装置と、
前記散水装置と前記貯水槽の間に介在され、かつ前記空気流入口と前記空気流出口の間に設けられるとともに、前記貯水槽と対向した一面が重力方向に対して傾斜してなる海綿状の充填材と、
前記一面の重力方向に対して最も低い部位から前記貯水槽まで延設された誘導部材と、
を具備することを特徴とする空気浄化装置。
【請求項２】
前記一面は、前記気液接触室の底面に対して傾斜してなり、
前記誘導部材は、前記一面の前記底面に最も近い部位から前記貯水槽まで延設されてなる
ことを特徴とする請求項１記載の空気浄化装置。
【請求項３】
外部と連通した空気流入口及び空気流出口を具備する有底状の気液接触室と、
前記気液接触室の底部に設けた貯水槽と、
前記貯水槽から供給された液体を前記気液接触室の内部に散布する散水装置と、
前記散水装置と前記貯水槽の間に介在され、かつ前記空気流入口と前記空気流出口の間に設けられた海綿状の充填材と、
前記充填材と前記貯水槽の間に介在された海綿状の緩衝材と、
を具備することを特徴とする空気浄化装置。
【発明の詳細な説明】
【技術分野】
【０００１】
この発明は、空気浄化装置に関するものであり、特に散水式の空気浄化装置に関する。
【背景技術】
【０００２】
従来、通過空気に散水して、その空気の温度や湿度を調整したり粉塵等を除去する散水式の空気浄化装置（いわゆる「エアワッシャー」）が用いられている。
【０００３】
特許文献１の全熱交換器は、排気管路と水溜の間に、傾斜を付けた断熱板を設けている。これにより、排気とエアワッシャ水との熱授受を抑制するとともに、エアワッシャ水の衝突時の微細化を促進している。
【０００４】
特許文献２のエアワッシャ式ユニットクーラーは、本体の内部に充填材を設けるとともに、この充填材の風下側面及び風上側面にマット状のフィルターを設けている。これにより、本体からの水飛びを防止している。
【先行技術文献】
【特許文献】
【０００５】
【特許文献１】特開２００９−２０４２２６号公報
【特許文献２】特開平８−７５１８４号公報
【発明の概要】
【発明が解決しようとする課題】
【０００６】
従来のエアワッシャーは、内部に設けた充填材や断熱板から落ちる水滴が貯水槽に溜まった水に断続的に衝突して、雨音のような騒音が発生する。そのため、静かな環境での使用に適さない課題があった。
【０００７】
この発明は、上記のような課題を解決するためになされたものであり、充填材から貯水槽への落水による騒音を低減することができる空気浄化装置を提供することを目的とする。
【課題を解決するための手段】
【０００８】
この発明の空気浄化装置は、外部と連通した空気流入口及び空気流出口を具備する有底状の気液接触室と、気液接触室の底部に設けた貯水槽と、貯水槽から供給された液体を気液接触室の内部に散布する散水装置と、散水装置と貯水槽の間に介在され、かつ空気流入口と空気流出口の間に設けられるとともに、貯水槽と対向した一面が重力方向に対して傾斜してなる海綿状の充填材と、一面の重力方向に対して最も低い部位から貯水槽まで延設された誘導部材と、を具備するものである。
【０００９】
また、この発明の空気浄化装置は、外部と連通した空気流入口及び空気流出口を具備する有底状の気液接触室と、気液接触室の底部に設けた貯水槽と、貯水槽から供給された液体を気液接触室の内部に散布する散水装置と、散水装置と貯水槽の間に介在され、かつ空気流入口と空気流出口の間に設けられた海綿状の充填材と、充填材と貯水槽の間に介在された海綿状の緩衝材と、を具備するものである。
【発明の効果】
【００１０】
この発明の空気浄化装置によれば、充填材から貯水槽への落水による騒音を低減することができる。
【図面の簡単な説明】
【００１１】
【図１】この発明の実施の形態１の空気浄化装置を側面から見た説明図である。
【図２】この発明の実施の形態１の他の空気浄化装置を側面から見た説明図である。
【図３】この発明の実施の形態１の他の空気浄化装置を側面から見た説明図である。
【図４】この発明の実施の形態２の空気浄化装置を側面から見た説明図である。
【図５】この発明の実施の形態２の他の空気浄化装置を側面から見た説明図である。
【発明を実施するための形態】
【００１２】
実施の形態１．
図１を参照して、この発明の実施の形態１の空気浄化装置について説明する。
図中、１は有底状の気液接触室である。気液接触室１の側壁の一部に、外部と連通した空気流入口２が設けられている。また、気液接触室１の上端部に、外部と連通した空気流出口３が設けられている。
【００１３】
空気流出口３には、図示しない送風機が取り付けられている。この送風機は、気液接触室１の内部の空気を空気流出口３から外部に送り出すものである。
【００１４】
気液接触室１の底部に、循環タンク（貯水槽）４が設けられている。循環タンク４には、散水用の水（液体）５が溜まるようになっている。
【００１５】
循環タンク４には、循環パイプ６の一端部が連通している。循環パイプ６には、循環ポンプ７が設けられている。循環ポンプ７は、循環タンク４に溜まった水５を循環パイプ６の他端部に汲み上げるものである。
【００１６】
循環パイプ６の他端部は、気液接触室１の側壁を貫通して気液接触室１の内部に連通しており、この他端部に散水ノズル（散水装置）８が設けられている。散水ノズル８は、循環タンク４から供給された水５を気液接触室１の内部に散布するものである。
【００１７】
散水ノズル８と循環タンク４の間に、スポンジ状（海綿状）の充填材９が介在されている。充填材９は、空気流入口２と空気流出口３の間に設けられている。また、充填材９は厚板状に形成されるとともに、散水ノズル８に対向した表面１０及び循環タンク４に対向した裏面１１が気液接触室１の底面１２に対して傾斜して設けられている。これにより、充填材９の裏面１１は重力方向に対して傾斜を有している。
【００１８】
裏面１１の重力方向に対して最も低い一端部（すなわち、底面１２に最も近い一端部）から、棒状の誘導部材１３が垂下している。誘導部材１３は、循環タンク４まで延設されている。
【００１９】
このようにして構成された空気浄化装置１００の動作について説明する。
まず、図中白抜きの矢印で示す如く、送風機により、空気浄化装置１００の外部の空気が空気流入口２から気液接触室１の内部に送り込まれる。送り込まれた空気は、スポンジ状の充填材９の内部を通過する。通過空気は、空気流出口３から空気浄化装置１００の外部に送り出される。
【００２０】
また、散水ノズル８は、循環タンク４から供給された水５を充填材９に向けて散布する。散布された水５は、充填材９の表面１０から内部に浸透していき、最終的に裏面１１に達する。このようにして、充填材９の内部で空気と水５が接触する。
【００２１】
このとき、充填材９の裏面１１が重力方向に対して傾斜していることから、図中点線の矢印で示す如く、裏面１１に達した水５は裏面１１の傾斜に沿って重力方向に対して最も低い一端部（底面１２に最も近い一端部）まで流れる。次いで、裏面１１の一端部に達した水５は、棒状の誘導部材１３に沿って循環タンク４まで流れる。
【００２２】
このように、充填材９の裏面１１に達した水５を、裏面１１の傾斜及び誘導部材１３に沿って流すことで、水滴が裏面１１から循環タンク４に落下するのを抑制することができる。
【００２３】
以上のように、この実施の形態１の空気浄化装置１００は、充填材９の裏面１１を重力方向に対して傾斜させている。また、裏面１１の重力方向に対して最も低い一端部から循環タンク４まで棒状の誘導部材１３が延設されている。
これにより、充填材９の裏面１１に達した水５を、裏面１１の傾斜及び誘導部材１３に沿って流すことで、水滴が裏面１１から循環タンク４に落下するのを抑制することができる。その結果、充填材９から循環タンク４への落水による騒音を低減することができる。
【００２４】
なお、充填材９の形状は、裏面１１が重力方向に対して傾斜したものであれば良く、図１に示す形状に限定されるものではない。図２に示す如く、裏面１１ａの両端部から中央部に向かうにつれて底面１２に近づく傾斜を有する充填材９ａを設け、この中央部から循環タンク４まで誘導部材１３を延設したものとしてもよい。また、図３に示す如く、裏面１１ｂの中央部から両端部に向かうにつれて底面１２に近づく傾斜を有する充填材９ｂを設け、この両端部から循環タンク４まで誘導部材１３ａ，１３ｂをそれぞれ延設したものとしてもよい。
【００２５】
また、誘導部材１３の形状は、裏面１１から循環タンク４まで水５を誘導するものであればよく、棒状に限定されるものではない。管状又は樋状のものを用いてもよい。
【００２６】
また、送風機を空気流入口２に取り付けたものとしてもよい。
【００２７】
また、空気流出口３に、除滴板を有する調湿装置（いわゆる「デシカントローター」）を取り付けたものとしてもよい。このデシカントローターは、気液接触室１から送り出された空気を連続的に除湿するものである。
【００２８】
また、循環タンク４の内部に、電解用電極を設けたものとしてもよい。この電解用電極は、電気分解により次亜塩素酸を発生させて、循環タンク４に溜まった水５の有効塩素濃度の値を一定値に維持するものである。これにより、気液接触室１の内部における雑菌の繁殖を抑制することができる。
【００２９】
実施の形態２．
図４を参照して、誘導部材に代えて緩衝材を設けた空気浄化装置について説明する。なお、実施の形態１と同様の構成部材には同一符号を付して説明を省略する。
【００３０】
散水ノズル８と循環タンク４の間に、スポンジ状の充填材９ｃが介在されている。充填材９ｃは、空気流入口２と空気流出口３の間に設けられている。
【００３１】
充填材９ｃと循環タンク４の間に、スポンジ状の緩衝材１４が介在されている。ここで、充填材９ｃの裏面１１ｃから循環タンク４に溜まった水５の水面までの距離ｄ１に対して、緩衝材１４から水面までの距離ｄ２が十分小さくなるように緩衝材１５を設けるのが好適である。
【００３２】
このようにして構成された空気浄化装置１０３は、実施の形態１の空気浄化装置１００と同様に、充填材９ｃの内部で空気と水５が接触する。
【００３３】
このとき、充填材９ｃの裏面１１ｃから落下した水滴は、緩衝材１４に吸収される。次いで、緩衝材１４から落下した水滴は、距離ｄ２だけ落下して循環タンク４に溜まった水５の水面に衝突する。このようにして、水面に衝突する水滴の勢いを低減することができる。
【００３４】
以上のように、この実施の形態２の空気浄化装置１０３は、充填材９ｃと循環タンク４の間にスポンジ状の緩衝材１４が介在している。
これにより、循環タンク４に溜まった水５の水面に衝突する水滴の勢いを低減することができる。その結果、充填材９ｃから循環タンク４への落水による騒音を低減することができる。
【００３５】
なお、緩衝材１４の形状は、図４に示すものに限定されない。図５に示す如く、循環タンク４に対向した裏面１１が重力方向に対して傾斜した充填材９を設け、裏面１１の重力方向に対して最も低い一端部（循環タンク４に最も近い一端部）と循環タンク４との間にのみ緩衝材１４ａを介在させたものとしてもよい。
【００３６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３７】
１  気液接触室
２  空気流入口
３  空気流出口
４  循環タンク（貯水槽）
５  水（液体）
６  循環パイプ
７  循環ポンプ
８  散水ノズル（散水装置）
９，９ａ，９ｂ，９ｃ  充填材
１０，１０ａ，１０ｂ，１０ｃ  表面
１１，１１ａ，１１ｂ，１１ｃ  裏面
１２  底面
１３，１３ａ，１３ｂ  誘導部材
１４，１４ａ  緩衝材
１００，１０１，１０２，１０３，１０４  空気浄化装置
【図１】
2015136630.tif 000003
【図２】
2015136630.tif 000004
【図３】
2015136630.tif 000005
【図４】
2015136630.tif 000006
【図５】
2015136630.tif 000007